(57)【特許請求の範囲】
【請求項１】
内視鏡本体に設けた導光手段に照明光を供給する光源と、前記光源を点灯させる充電可能な２次電池と、外部の光源装置からの照明光を前記導光手段に伝送する導光ケーブルとを有する内視鏡において、
前記導光ケーブルにより内視鏡と光源装置とを接続した場合、前記２次電池を充電する電気回路が形成されるようにしたことを特徴とする内視鏡。
【請求項２】
内視鏡本体に設けた導光手段に照明光を供給する光源と前記光源を点灯させる充電可能な２次電池とを有する内視鏡と、該内視鏡の外部に設けられ、発光した照明光を導光ケーブルで伝送して前記導光手段に供給する光源装置とを有する内視鏡装置において、
前記導光ケーブルにより内視鏡と光源装置とを接続した場合、前記２次電池を充電する充電回路が形成されるようにしたことを特徴とする内視鏡装置。
【発明の詳細な説明】
【０００１】
【発明の属する技術分野】
本発明は充電可能な２次電池により光源を点灯させて内視鏡観察が可能な内視鏡及び内視鏡装置に関する。
【０００２】
【従来の技術】
医療分野および工業用分野で広く用いられるようになった内視鏡は、診断あるいは検査対象部位が生体、プラント等の内部であるので照明する手段が必要である。
【０００３】
このため、一般的な内視鏡では、内視鏡の外部装置として光源装置を用意し、この光源装置内のランプの出射光を内視鏡に設けたライトガイドファイバに導光し、このライトガイドファイバで導光された照明光を挿入部先端側の照明窓から出射して検査部位を照明する構成になっている。前記光源装置は一般的には商用電源から供給される電源を利用して光源装置内部のランプを発光させるものである。
【０００４】
これに対し、先行技術は例えば、特開平１０−２０１７１０号では電源に乾電池等を用いたバッテリ式光源を内視鏡操作部に着脱自在に取り付けられるようにした内視鏡がある。このようなバッテリ式光源が取り付けられる内視鏡は持ち運びが容易であるとともに、電源の無い所での使用が可能になるので緊急時の使用などに適している。
【０００５】
さらに、前記内視鏡はバッテリ式光源に代わって導光ケーブルとしてのライトガイドケーブルを接続する事ができ、これを介して商用電源を起電力とした既存の外部光源装置に接続することも可能であり、バッテリ式光源に搭載している乾電池の起電力が低下した時はこれに繋ぎかえることで検査を続行することができる。
【０００６】
【発明が解決しようとする課題】
前述のように前記内視鏡は電池が切れた時でも、商用電源を起電力とする外部光源装置を用いて検査を行うことが可能である。しかし、検査終了後、新品の電池と交換あるいは充電池の場合は充電操作をし忘れ、次回の検査時にバッテリ電源を用いた携帯使用ができないことがあった。
【０００７】
（発明の目的）
本発明は、上述した点に鑑みてなされたもので、外部光源装置と接続して使用する場合には、内視鏡に設けた光源を駆動する２次電池を自動的に充電できる使い勝手のよい内視鏡及び内視鏡装置を提供することを目的とする。
【０００８】
【課題を解決するための手段】
上記の目的を達成する為、内視鏡本体に設けた導光手段に照明光を供給する光源と、前記光源を点灯させる充電可能な２次電池と、外部の光源装置からの照明光を前記導光手段に伝送する導光ケーブルとを有する内視鏡において、
前記導光ケーブルにより内視鏡と光源装置とを接続した場合、前記２次電池を充電する電気回路が形成されるようにして、光源を駆動する２次電池を自動的に充電できるようにしている。
【０００９】
また、内視鏡本体に設けた導光手段に照明光を供給する光源と前記光源を点灯させる充電可能な２次電池とを有する内視鏡と、該内視鏡の外部に設けられ、発光した照明光を導光ケーブルで伝送して前記導光手段に供給する光源装置とを有する内視鏡装置において、
前記導光ケーブルにより内視鏡と光源装置とを接続した場合、前記２次電池を充電する充電回路が形成されるようにして、光源を駆動する２次電池を自動的に充電できるようにしている。
【００１０】
【発明の実施の形態】
以下、図面を参照して本発明の実施の形態を説明する。
（第１の実施の形態）
図１ないし図３は本発明の第１の実施の形態に係り、図１は内視鏡装置の全体構成を示し、図２は内視鏡操作部に照明ランプユニットを装着した際の模式図、図３はライトガイドケーブルを介して光源装置から内視鏡本体に照明光を供給している際の模式図を示す。
【００１１】
図１に示すように本発明の第１実施の形態を備えた内視鏡装置１は、水密構造の内視鏡本体２と、この内視鏡本体２に着脱自在で接続され、照明光を供給する照明ランプユニット３と、この照明ランプユニット３と選択的に内視鏡本体２に着脱自在で接続される導光ケーブルとしてのライトガイドケーブル４とからなる第１の実施の形態の内視鏡５と、このライトガイドケーブル４が着脱自在で接続され、該ライトガイドケーブル４を介して内視鏡本体２に照明光を供給する光源装置６とから構成される。
【００１２】
上記内視鏡本体２は、細長の挿入部７と、この挿入部７の後端に形成された操作部８と、この操作部８の後端に形成された接眼部９と、操作部８の側部に設けた接続ソケット１０とからなり、この接続ソケット１０の開口部に照明ランプユニット３あるいはライトガイドケーブル４のケーブルコネクタ４ａを着脱自在に接続できる。
【００１３】
挿入部７は、その先端に形成された硬質の先端部１１と、この先端部１１の後端に形成され、湾曲自在の湾曲部１２と、湾曲部１２の後端から操作部８の前端まで形成された可撓性を有する可撓部１３とからなる。
【００１４】
操作部８には挿入部７寄りに設けられ、術者が把持する把持部１４が形成され、この把持部１４の後端側に湾曲操作レバー１５が設けてあり、この湾曲操作レバー１５を回動操作することにより前記湾曲部１２を湾曲することができる。
【００１５】
また、この操作部８には吸引を行う吸引ボタン１６と、この吸引ボタン１６の基端付近から突出するように吸引口金１７とが設けてあり、吸引口金１７は図示しないチューブを介して吸引機に接続され、吸引ボタン１６を操作することにより吸引チャンネルに連通する吸引口金１７を介して体液などを吸引することができる。
【００１６】
また、操作部８の前端側に鉗子などの処置具を挿入する鉗子挿入口１８が形成され、この紺子挿入口１８は内部で吸引チャンネルに連通している。この鉗子挿入口１８には通常鉗子栓１９が取り付けられている。
【００１７】
鉗子挿入口１８の裏側には、ニッカド（ニッケルカドニウム）電池、ニッケル水素電池、リチウムイオン電池等の充電が可能な２次電池２０（図２参照）を内蔵した電源ユニット（電池ユニット）２１が装着されている。電源ユニット２１の側面には、電池の残量あるいは充電レベルを表示するためのＬＥＤ等からなる表示部２２が設けられている。
【００１８】
更に、鉗子挿入口１８の前端側には、通気口金２３が突設されており、この通気口金２３から内視鏡本体２内部に空気を送ることができ、内視鏡本体２の水漏れの検査を行うことができるようにしている。
【００１９】
図２に示すように、前記挿入部７内には照明光を導光する導光手段としてのライトガイド２４が挿通され、このライトガイド２４は操作部８内で屈曲されてその後端が接続ソケット１０内で固定されている。さらに照明光をライトガイド２４の後端面に集光させる集光レンズ２５が接続ソケット１０内部に設けられている。
【００２０】
２次電池２０のプラス極側は接続ソケット１０内のコイルバネ２６に配線され、マイナス極側は接続ソケット１０内のスプリング２７により弾性的に付勢され突出した接点ピン２８に配線されている。
【００２１】
照明ランプユニット３は、照明光を発生する光源としての照明ランプ２９とこれを螺合保持するランプホルダ部３０とから構成される。ランプホルダ部３０の前端部には前記照明ランプ２９の一方の極と接する接点部３１が、さらにランプホルダ３０の円筒部中央にある周回溝３２の一部には照明ランプ２９の他方の極と接する接点部３３が設けられている。また、ランプホルダ部３０の後端部側はスイッチ操作を行うための操作ツマミ３４が形成されている。
【００２２】
そして、図２に示すように、接続ソケット１０に前記照明ランプユニット３を差込むと、コイルバネ２６が接点部３１に当接しバネ付勢するとともに、接点ピン２８が周回溝３２に係入し接続状態に設定できる。このとき接続ソケット１０に設けたシールリング３５により、ランプホルダ部３０との間が水密に保たれる。
【００２３】
この状態で照明ランプ２９を発光させた場合には、この照明ランプ２９からの照明光が接続ソケット１０内の集光レンズ２５によって集光され、ライトガイド２４の光入射端面に供給される。供給された照明光はライトガイド２４により導光され、挿入部７の先端部１１の照明窓に固定された先端面、つまり光出射端面から前方に出射され、患部などの被写体を照明する。
【００２４】
照明された被写体は照明窓に隣接する観察窓に取り付けた図示しない対物レンズによりその結像位置に光学像を結ぶ。この結像位置には図示しないイメージガイドの先端面が配置され、結像された光学像を接眼部９側の端面に伝送する。伝送された光学像は接眼部９の接眼窓に取り付けられた図示しない接眼レンズを介して拡大観察することができる。
【００２５】
また、図３に示すように接続ソケット１０にはライトガイドファイバ４１（図１の断面参照）が挿通されたライトガイドケーブル４の前端のケーブルコネクタ４ａが接続できるように前記ケーブルコネクタ４ａの形状を前記ランプホルダ部３０と略同形状に形成している。この接続状態において、ケーブルコネクタ４ａの接点部３７、３８は接続ソケット１０内のコイルバネ２６および接点ピン２８に接触する。
【００２６】
なお、図３に示す接続状態においては、シールリング３５により、接続ソケット１０内部に水が浸入しない水密状態に保持される。
【００２７】
一方、ライトガイドケーブル４の後端のライトガイドコネクタ４ｂは、図３に示す外部光源装置６に着脱自在で接続することができ、接続することによって外部光源装置６内部のランプ４０から照明光がライトガイドコネクタ４ｂに供給される。
【００２８】
そして、ライトガイドケーブル４内のライトガイドファイバ４１を介して導光された照明光を、接続ソケット１０内の集光レンズ２５を介して内視鏡本体２側のライトガイド２４に導光出来るようにしている。
【００２９】
さらに、ライトガイドコネクタ４ｂには絶縁ブロック４２を介して電気接点４３，４４が設けられており、これら電気接点４３、４４とケーブルコネクタ４ａの接点部３７、３８とがライトガイドケーブル４内に（ライトガイドファイバ４１と共に）挿通されたリード線４５，４６によってそれぞれ電気的に接続されている。
【００３０】
外部光源装置６には内視鏡本体２に組み込まれた２次電池２０を充電する為の充電器４７が搭載されており、この充電器４７からプラス極接点ピン４８，マイナス極接点ピン４９を介してライトガイドコネクタ４ｂの電気接点４３，４４に電気的に接続されるようになっている。
【００３１】
即ち、充電器４７のプラス極およびマイナス極はライトガイドケーブル４を介して接続ソケット１０内のコイルバネ２６および接点ピン２８と接続される。
【００３２】
また、ランプ４０へ電力を供給するための電源部５１と前記充電器４７は信号線５２によって接続されており、充電器４７の充電動作が作動している場合のみ電源部５１からランプ４０へ電力が供給されるよう制御される構成となっている。
【００３３】
この外部光源装置６は図１に示す電源コード５３が延出され、この電源コード５３のプラグ５４を商用（交流）電源コンセントに接続することにより、商用電源から電源部５１にその動作に必要な電源が供給されるようになっている。
【００３４】
本実施の形態では、導光ケーブルとしてのライトガイドケーブル４により内視鏡本体２と外部光源装置６とを接続した場合、内視鏡本体２に設けた２次電池２０を自動的に充電する電気回路が形成されるようにして、次回の内視鏡検査の場合には照明ランプ２９を点灯駆動して携帯性が良い状態で使用できる使い勝手の良い内視鏡２を提供できるようにしている。
そして、術者等が２次電池２０の充電のし忘れを防止できるし、２次電池２０の残量管理等に気を配る必要も軽減できるようにしている。
【００３５】
次に本実施の形態の作用を説明する。
本実施の形態の内視鏡５を用いて用いて内視鏡検査を行う場合、緊急時の処置やベットサイドでの処置のように、大型の外部光源装置６を運び込むことが困難な時は図２のように接続ソケット１０に照明ランプユニット３を接続した状態で使用する。
【００３６】
上記の接続状態において、照明ランプ２９が点灯しないよう、あらかじめ操作ツマミ３４をＯＦＦ状態に位置させて、接点ピン２８と接点部３３の電気的接続を絶っておく。
【００３７】
観察時、操作ツマミ３４を回動させ、周回溝３２内の接点部３３と接点ピン２８とが接触するＯＮ状態に位置させると、２次電池２０と照明ランプ２９とを電気的に接続する閉回路が構成され、ランプ点灯状態となる。
【００３８】
照明ランプ２９の点灯時は、電源ユニット２１に設けたＬＥＤ等からなる表示部２２が点灯し電源供給状態であることを表示するとともに２次電池２０の電源残量を表示し、残りの使用時間を術者に警告する。
【００３９】
例えば、電源電圧がある規定値を下回つたときＬＥＤが点灯から点滅に切り替わるようにして電池切れの警告しても良いし、発光色の異なるＬＥＤを複数用いて、電圧降下が進むごとに順番に点灯させたり、あるいは同色のＬＥＤを複数ならべて点灯する数で電圧降下のレベルを表示しても良い。
【００４０】
一方、観察時間が長期にわたり２次電池２０からの電力供給が無くなる場合や、あらかじめ観察時間が長時間にわたることが明らかな場合は、図３に示すように、照明ランプユニット３を接続ソケット１０から取り外し、ライトガイドケーブル４を接続する。そして、商用電源を起電力とする外部光源装置６にライトガイドコネクタ４ｂを接続する。
【００４１】
このとき、外部光源装置６内の充電器４７がライトガイドコネクタ４ｂの電気接点４３，４４に導通し、ライトガイドケーブル４を介して２次電池２０の充電動作が自動的に開始されると共に、ランプ４０への電源供給がスタンバイ状態になるよう充電器４７から電源部５１に信号が送られる。スタンバイ状態の電源部５１は図示しないランプ点灯スイッチをＯＮ位置に操作することでランプ４０に電力を供給する。
【００４２】
また、充電動作中は２次電池の２０の充電レベルが表示部２２で表示される。◎上記、外部光源装置６の点灯状態においてケーブルコネクタ４ａを接続ソケット１０から取り外すと、２次電池２０への充電回路が開放状態となり、これを検知した充電器４７は電源部５１にランプ４０への通電を遮断するように信号を送る。
【００４３】
すなわち、ケーブルコネクタ４ａを内視鏡本体２から取り外すと、ランプ点灯スイッチを操作すること無く自動的にランプ４０が消灯する。
充電が完了していれば、再度照明ランプユニット３を接続ソケット１０に接続し、携帯性に優れた使用が可能となる。
【００４４】
２次電池２０の充電方法としては、上記の方法に加え、前記２次電池２０を内蔵する電源ユニット２１を内視鏡本体２の操作部８から取り外し、充電済みの別の電源ユニット２１と交換すると共に、電圧の低下した電源ユニット２１を専用の充電器にセットし充電することもできる。
観察終了時は、照明ランプユニット３の操作ツマミ３４をＯＦＦ位置に回動させ照明ランプ２９を消灯させる。
【００４５】
本実施の形態は以下の効果を有する。
２次電池２０の電圧が低下し実使用に耐えないレベルまでランプ光量が低下したとき、外部光源装置６に切り替え観察を続けるが、ライトガイドケーブル４を介して自動的に充電が開始されるため、充電のし忘れを防止できる。つまり、次に内視鏡検査を行う場合に、自動的に充電された２次電池２０により、照明ランプ２９を点灯駆動できる、つまり、携帯使用性の良い状態での内視鏡検査を行うことができる。このため、使い勝手を向上できる。
【００４６】
また、外部光源装置６を使用するたび毎に充電が行われる為、ライトガイドケーブル４を用いる場合と、照明ランプユニット３を用いた携帯性を重視する場合との使用頻度が同レベルであれば電池残量は常に一定に保たれる。
２次電池２０の電池残量および充電レベルが表示されるため、充電管理がしやすい。
【００４７】
ライトガイドケーブル４が内視鏡本体２に接続されているとき（充電動作中）のみ、外部光源装置６のランプ４０が点灯するようにし、内視鏡本体２から取り外したときはランプ４０が自動消灯するようにしたので、内視鏡本体２から取り外されたライトガイドケーブル４が点灯しっぱなしで放置されることが無いので、照明光出射端の発熱による熱傷等を未然に防止することができる。
【００４８】
なお、上述では、充電器４７の充電動作が作動している場合のみ電源部５１からランプ４０へ電力が供給されるよう制御される構成として説明したが、電源部５１からランプ４０へ電力が供給されない場合でも充電器４７により２次電池２０を充電する動作を行うようにしても良い。
【００４９】
この場合、充電器４７は２次電池２０の充電状態をモニタし、２次電池２０が充電された状態に設定された場合には、充電動作を停止して充電完了の表示をＬＥＤの点灯等で行うようにしても良い。２次電池２０の充電状態をモニタする手段としては、２次電池２０の両端の電圧検出と充電器４７から２次電池２０に流れる電流値検出とにより、２次電池２０の充電状態をモニタできる。
【００５０】
このようにすると、ライトガイドケーブル４により内視鏡本体２と外部光源装置６とを接続したままに設定しても、２次電池２０を過充電してしまうことなく、２次電池２０を充電完了状態に設定でき、次に使用する場合に、（充電途中の場合よりも）長い時間２次電池２０で内視鏡検査を行うことができる。
【００５１】
また、ライトガイドケーブル４を単に接続しておけば、自動的に充電完了状態まで充電してその充電動作を停止するので、ライトガイドケーブル４の接続により充電完了が終了したか否かに気を配る必要がなくなり、充電完了状態に設定する管理等をより軽減でき、使い勝手もより向上する。
【００５２】
（第２の実施の形態）
図４、図５、図６、図７は本発明の第２の実施の形態の形態に係り、図４は内視鏡装置の全体構成を示し、図５、図６は内視鏡本体の操作部に照明ランプユニットを装着し、点灯・消灯操作を行った時の内部構成を示す説明図、図７は内視鏡装置全体の電気的回路を説明するための模式図を示す。なお、図５（Ｂ）は図５（Ａ）のＡ矢視図、図６（Ｂ）は図６（Ａ）のＢ矢視図である。
【００５３】
図４に示すように、第２の実施の形態の形態を備えた内視鏡装置６１は、内視鏡本体６２と、この内視鏡本体６２に着脱自在で接続される照明ランプユニット６３および導光ケーブルとしてのライトガイドケーブル６４とからなる内視鏡６５と、ライトガイドケーブル６４が着脱自在に接続され、該ライトガイドケーブル６４を介して内視鏡本体６２に照明光を供給する外部光源装置６６とからなる。
【００５４】
上記ライトガイドケーブル６４は内視鏡本体６２に接続されるケーブルコネクタ６４ａ部分の形状が第１の実施の形態のライトガイドケーブル４と異なるが、その他は同様である。例えばライトガイドケーブル６４の断面構造を図４で示すように内部には照明光を伝送するライトガイドファイバ４１とこのライトガイドファイバ４１に沿って配置された導線としてのリード線４５，４６とが設けてある。
【００５５】
なお、内視鏡本体６２は、前記照明ランプユニット６３が接続された時、全体が水密構造になる。
この内視鏡本体６２は細長の挿入部６７と、その後端に設けた操作部６８と、その後端に設けられた接眼部６９とを有する。
【００５６】
挿入部６７は、その先端に形成された硬質の先端部７１と、この先端部７１の後端に形成され、湾曲自在の湾曲部７２と、湾曲部７２の後端から操作部６８の前端まで形成された可撓性を有する可撓部７３とからなる。
【００５７】
操作部６８には把持部７４の後端側に湾曲操作を行う湾曲操作レバー７５と、吸引を行う吸引レバー７６と、この吸引レバー７６の基端付近から突出するように吸引口金７７とが設けてあり、吸引口金７７は図示しないチューブを介して吸引器に接続され、吸引レバー７６を操作することにより吸引チャンネルに連通する吸引口金７７を介して体液などを吸引することができるよになっている。
【００５８】
前記吸引レバー７６の上方には鉗子などの処置具を挿入する鉗子挿入口７８が形成され、この鉗子挿入口７８は内部で吸引チャンネルに連通している。この鉗子挿入口７８には通常鉗子栓７９が取り付けられている。
【００５９】
また、把持部７４の前部には２次電池２０（図７参照）を内蔵した電源ユニット８１が装着され、この電源ユニット８１の側面には表示部８２が設けられている。
【００６０】
また、操作部６８における例えば湾曲操作レバー７５の反対側の側部にはバヨネット接続構造の接続ソケット７０（図７参照）が設けられ、この接続ソケット７０にライトガイドケーブル６４のケーブルコネクタ６４ａが着脱自在に接続される。
【００６１】
この接続によって、ライトガイドケーブル６４内のライトガイドファイバ４１と、操作部６８内に配置されその端部が接続ソケット７０に位置したライトガイド８４ａとが対向するとともに、ライトガイドケーブル６４内の２本のリード線４５，４６が接続された電気接点８４，８５と接続ソケット７０の接点受け８６，８７（図７参照）が接触し、電気的導通状態になる。
【００６２】
ライトガイドコネクタ６４ｂは、図７に示す外部光源６６に接続することができる。この外部光源装置６６およびライトガイドコネクタ６４ｂの構造は第１の実施の形態と同じである。
【００６３】
操作部６８の前端側には、照明ランプユニット６３を接続・固定するためのランプソケット９０が開口している。
ランプホルダ部８８に照明ランプ２９を螺合固定したランプユニット６３は、ランプソケット９０に一体的に装着でき、装着状態においては水密が保たれるようになっている。
【００６４】
図５、図６に示すように前記ランプホルダ部８８を回動操作することにより、これと一体化したランプソケット９０も回動し、ランプ点灯スイッチ９１（図７参照）を入切（ＯＮ，ＯＦＦ）する。さらに、ランプソケット９０の筒端部にはギア部９２が形成され、これと係合する歯車９３はスイッチ操作と連動して所定の角度範囲を往復移動する。
【００６５】
前記ランプホルダ部８８の上面には、ランプの点灯・消灯状態を示す指標９４がついており、操作部側の指標９５に合わせるようにして１８０°の往復回転操作により点灯・消灯状態を切り替えるようにしている。
【００６６】
前記歯車９３にはライトガイド口金９７が固定されている。このライトガイド口金９７には挿入部６７内に挿通されたライトガイド８４ｂの一端が固定され、さらにこのライトガイド８４ｂの端面に焦点を結ぶ位置に集光レンズ９８が固定されている。尚、歯車９３の回転中心となる前記ライトガイド口金９７の他端は、回動自在に操作部６８内でピン固定される。
【００６７】
そして、図５に示すランプ点灯位置にランプホルダ８８を回動させた時、ライトガイド口金９７が照明ランプ２９に対向し、照明ランプ２９からの出射光を集光レンズ９８を通してライトガイド８４ｂに入射させることができる。
【００６８】
また、図６に示すようにランプ消灯位置にランプホルダ８８を回動させた時、ライトガイド口金９７がライトガイド８４ａに対向し、前述の外部光源装置６６からライトガイドコネクタ６４を経て前記ライトガイド８４ａに導光された照明光を集光レンズ９８を通してライトガイド８４ｂに入射させることができる。
【００６９】
ここで、操作部６８内部はスペースに余裕があるため、ここに配置されるライトガイド８４ａは比較的太径に形成、配置することができる。一方挿入部６７内部に配置されるライトガイド８４ｂは、挿入部６７の外径の制約を受ける為、比較的細径に形成せざるを得ない。
【００７０】
前記ランプソケット９０の裏面には、第１の実施の形態と同様の構成の２次電池２０を内蔵した上記電源ユニット８１が装着されている。
図７に示すように前述のランプ点灯スイッチ９１をＯＮにした時、電源ユニット８１内の２次電池２０と照明ランプ２９をつなぐ回路が閉じ、照明ランプ２９が点灯する。
【００７１】
一方、外部光源装置６６の照明光をライトガイドケーブル６４を用いて内視鏡本体６２に導光する場合は、ランプ点灯スイッチ９１をＯＦＦにして２次電池２０と照明ランプ２９からなる回路を開放状態にするとともに、外部光源装置６６内の充電器４７により２次電池２０が充電される回路構成に切り替える。前記充電器４７は充電動作開始とともに電源部５１にランプ４０への電力供給開始の信号を送る。
【００７２】
上記のランプ点灯スイッチ９１のＯＮ／ＯＦＦ操作にともない、操作部６８内のライトガイド口金９７が照明光を発している方向（すなわちライトガイド８４ａまたは照明ランプ２９の何れか）に首振り動作をおこなうことは前述した通りである。
その他の構成は第１の実施の形態と同じである。
【００７３】
次に本実施の形態の作用を説明する。
照明ランプ２９をランプホルダ部８８に固定し、ランプソケット９０に装着する。
観察時、ランプホルダ部８８を回動させ、ランプ点灯スイッチ９１をＯＮにすると照明ランプ２９が点灯する。照明ランプ２９からの出射光は集光レンズ９８によりライトガイド８４ｂの端面に集光され、挿入部６７の先端から患部を照明する。
【００７４】
外部光源装置６６を用いる場合は、ライトガイドケーブル６４を前記外部光源装置６６および内視鏡本体６２の接続ソケット７０に接続する。続いて、ランプホルダ部８８を回動させ、ランプ点灯スイッチ９１をＯＦＦに切替えて照明ランプ２９を消灯させると共にライトガイド口金９７をライトガイド８４ａに対向させる。
【００７５】
すると２次電池２０を充電する回路が構成され、直ちに充電が開始されると共に、ランプ４０への電力供給がスタンバイ状態になるよう充電器４７から電源部５１に信号が送られる。
スタンバイ状態の電源部５１は図示しないランプ点灯スイッチをＯＮにすることでランプ４０に電力を供給する。
【００７６】
ランプ４０からの出射光はライトガイドケーブル６４を介してライトガイド８４ａに導光され、ざらに集光レンズ９８によりライトガイド８４ｂ端面に集光され、挿入部６７の先端から患部を照明する。
その他、第１の実施の形態と同じである。
【００７７】
本実施の形態は以下の効果を有する。
第１の実施の形態と比べ、ライトガイドケーブル６４を用いる場合、照明ランプユニット６３を取り外す必要がないため、光源の切替え作業が簡単になる。また、取り外した照明ランプユニット６３をなくしてしまうことを回避できる。
【００７８】
操作部６８内のライトガイド８４ａを太径にすることが可能なため、外部光源装置６６からの光入射端面の面積を大きくすることができ、光量ロスを小さくする事ができる。
【００７９】
さらに、前記太径のライトガイド８４ａからの照明光を集光レンズ９８を用いて挿入部６７内に配置した細径のライトガイド８４ｂに集光させるため、挿入部６８の外径を細く維持しつつ、より明るい観察光量を得ることができる。さらに、ライトガイドの各接続部分での光量伝達性を向上させることで、ロス光による発熱を抑えることができる。
【００８０】
内視鏡本体６２に装着したランプユニット６３のランプ２９と、外部光源装置６６のランプ４０が同時に点灯しない回路構成とし、さらに内視鏡本体６２に装着したランプユニット６３のＯＮ／ＯＦＦ操作と連動して、挿入部６７側のライトガイド８４ｂを発光している側に向かせるような機構にしたので、誤ってライトガイド以外の内蔵物に照射して故障させたり、操作部表面の温度上昇による操作者の火傷等を防止する事が出来る。
その他は第１の実施の形態と同じ効果がある。
【００８１】
（第３の実施の形態）
次に図８を参照して本発明の第３の実施の形態を説明する。第１及び第２の実施の形態ではその内視鏡５或いは６５は、イメージガイドにより光学像を接眼部まで伝送し、接眼部を通して拡大観察するものであったが、本実施の形態はこれらと異なり、固体撮像素子により、電気信号に変換し、さらに映像信号に変換して表示手段に表示するものである。
【００８２】
図８に示す内視鏡１０１は内視鏡本体１０２と、この内視鏡本体１０２に着脱自在で接続される照明ランプユニット３と、この照明ランプユニット３と選択的に内視鏡本体２に着脱自在で接続される導光ケーブルとしてのライトガイドケーブル４とからなる。
【００８３】
上記内視鏡本体１０２は、細長の挿入部１０７と、この挿入部１０７の後端に形成された操作部１０８と、この操作部１０８の後端に設けられたモニタ装置１０９と、操作部１０８の側部に設けた接続ソケット１０とからなり、この接続ソケット１０の開口部に照明ランプユニット３あるいはライトガイドケーブル４のケーブルコネクタ４ａを着脱自在に接続できる。
【００８４】
挿入部１０７は、その先端に形成された硬質の先端部１１１と、この先端部１１１の後端に形成され、湾曲自在の湾曲部１１２と、湾曲部１１２の後端から操作部１０８の前端まで形成された可撓性を有する可撓部１１３とからなる。
【００８５】
操作部１０８には挿入部１０７寄りに設けられ、術者が把持する把持部１４が形成され、この把持部１４の後端側に湾曲操作レバー１５が設けてあり、この湾曲操作レバー１５を回動操作することにより前記湾曲部１１２を湾曲することができる。
【００８６】
また、この操作部１０８には吸引を行う吸引ボタン１６と、この吸引ボタン１６の基端付近から突出するように吸引口金１７とが設けてあり、吸引口金１７は図示しないチューブを介して吸引機に接続され、吸引ボタン１６を操作することにより吸引チャンネルに連通する吸引口金１７を介して体液などを吸引することができる。
【００８７】
また、操作部１０８の前端側に鉗子などの処置具を挿入する鉗子挿入口１８が形成され、この紺子挿入口１８は内部で吸引チャンネルに連通している。この鉗子挿入口１８には通常鉗子栓１９が取り付けられている。
【００８８】
鉗子挿入口１８の裏側には、２次電池を内蔵した電源ユニット２１が装着されている。電源ユニット２１の側面には、電池の残量あるいは充電レベルを表示するためのＬＥＤ等からなる表示部２２が設けられている。
【００８９】
更に、鉗子挿入口１８の前端側には、通気口金２３が突設されており、この通気口金２３から内視鏡本体１０２内部に空気を送ることができ、内視鏡本体１０２の水漏れの検査を行うことができるようにしている。
【００９０】
挿入部１０７の先端部１１１には観察窓に取り付けた対物レンズの結像位置に図示しない固体撮像素子が配置され、この固体撮像素子により光学像を光電変換して電気的な画像信号にしてその画像信号を、挿入部１０７内に挿通した信号線で操作部１０８側に伝送し、この操作部１０８内の上方に着脱自在に設けたビデオプロセス回路を内蔵したモ二夕装置１０９に出力するようにしている。
【００９１】
前記固体撮像素子およびモニタ装置１０９の駆動電源は、接続ソケット１０に照明ランプユニット３が装着されている場合は電源ユニット２１内の２次電池２０から供給され、接続ソケット１０にライトガイドケーブル４を接続し外部光源装置３から照明光を得る場合は、この外部光源装置６（図１或いは図３参照）内の電源部５１からライトガイドケーブル４内を通る図示しない専用ケーブルを経由して供給される。
【００９２】
操作部１０８に設けたレリーズスイッチ１２０は図示しない信号線を経由してレリーズ信号をモニタ装置１０９内のビデオプロセス回路に入力するようになっており、ビデオプロセス回路はレリーズ信号を入力されることによって画像を静止し、静止された画像は前記ビデオプロセス回路に接続された図示しないカラーイメージレコーダやビデオテープレコーダや電子ファイル等に記録されるようになっている。なお、観察だけを目的としたものであれば、前記記録装置は不要である。
その他は、第１の実施の形態に同じ構成である。
【００９３】
次に本実施の形態の作用を説明する。
接続ソケット１０に照明ランプユニット３が装着されている場合、あるいはライトガイドケーブル４が接続されている場合の何れにおいても、照明光が供給されると同時に固体撮像素子およびモニタ装置１０９に起動電源が供給され、モニタ装置１０９上に被写体を拡大表示する。
その他は、第１の実施の形態と同じ作用である。
【００９４】
本実施の形態は以下の効果を有する。
モニタ装置１０９を一体に構成したビデオプロセッサが内視鏡本体１０２の操作部１０８に直に取り付くようにしたので、可搬性が増す上に、モニタ装置１０９の表示面上に観察像が拡大表示されるので内視鏡本体１０２から顔を遠ざけた状態でも像を確認することができ、結果として内視鏡検査の操作性が向上する。
◎また、モニタ装置１０９の拡大表示は多人数での供覧も可能となる。
その他、第１の実施の形態と同じ効果がある。
【００９５】
（第４の実施の形態）
次に図９を参照して本発明の第４の実施の形態を説明する。例えば、第１の実施の形態では電源ユニット（バッテリユニット）２１と接続ソケット１０は内視鏡本体２に設けていたが、本実施の形態では内視鏡本体１４２から別体化して、内視鏡本体１４２に着脱自在となるバッテリ＆接続ソケットユニットとしての機能を持つバッテリ型光源本体１４５を構成したことが第１実施の形態等と異なる。
【００９６】
本実施の形態の内視鏡１４１は、内視鏡本体１４２と、この内視鏡本体１４２に選択的に着脱自在で接続されるバッテリ型光源ユニット１４３及びライトガイドケーブル１４４とからなり、本実施の形態におけるバッテリ型光源ユニット１４３は内視鏡本体１４２に接続されるバッテリ型光源本体１４５とこのバッテリ型光源本体１４５に選択的に着脱自在で接続されるランプユニット３及び導光ケーブルとしてのライトガイドケーブル４とから構成される。
【００９７】
この内視鏡本体１４２には第１の実施の形態の内視鏡本体２と同様に挿入部７と、操作部８と、接眼部９とを有し、操作部８の側面には（第１の実施の形態の接続ソケット１０の代わりに）本実施の形態ではライトガイド口金１５０が突出するように設けてあり、その外周面には雄ネジ部１５１が設けてある。
【００９８】
そして、この雄ネジ部１５１にバッテリ型光源ユニット１４３を構成するバッテリ型光源本体１４５或いはライトガイドケーブル１４４を選択的に接続固定できるようにしている。
【００９９】
また、挿入部７は第１の実施の形態と同様に先端部１１と、湾曲部１２と、可撓部１３とからなる。また、操作部８はその前端側に把持部１４が設けられ、その後端側に湾曲操作レバー１５と吸引ボタン１６が設けられ、この吸引ボタンから吸引口金１７が突出するように設けられている。
【０１００】
また、把持部１４の前端側に鉗子挿入口１８が設けられ、鉗子栓１９で閉塞されている。また、その鉗子挿入口１８の裏側に水漏れ検査用の通気口金２３が設けられている。
この内視鏡本体１４２は、全体が、外部から水が浸入しない水密構造になっている。
【０１０１】
バッテリ型光源本体１４５は一方の端部に上記ライトガイド口金１５０に嵌合して接続できる接続口側１５２と、その外周側には上記雄ネジ部１５１に接続固定する固定リング１５３が回動自在に設けられ、他方の端部には照明ランプユニット３またはライトガイドケーブル４が選択的に接続される接続ソケット１５４が設けられており、これら両端の中央付近から２次電池１５５を収納する電池収納部１５６が突設されており、この電池収納部１５６の上端は開口し、電池交換等ができるようにすると共に、この開口する端部を着脱自在の蓋１５７により水密的に閉塞できるようにしている。
【０１０２】
上記固定リング１５３の内周面には雄ネジ部１５１に螺合する雌ネジ部１５３ａが設けてあり、着脱自在に固定できるようにしている。
接続口金１５２の内部底面には、前記ランプユニット３あるいはライトガイドケーブル４からの照明光をライトガイド口金１５０の端部に集光させるための図示しない集光レンズが水密的に接着固定されている。
【０１０３】
また、このバッテリ型光源本体１４５、具体的には電池収納室１５６の側面には２次電池１５５の残量状態あるいは充電状態を表示する表示部１５９が設けてあり、外から電池残量等を確認できるようにしている。
この接続ソケット１５４の構造は第１の実施の形態の接続ソケット１０と同様であるのでその説明を省略する。
【０１０４】
一方、ライトガイドケーブル１４４はその内部にライトガイドファイバが挿通され、そのライトガイドファイバはライトガイドケーブル１４４の両端のコネクタで固定されている。
【０１０５】
つまりライトガイドケーブル１４４の一方の端部に設けたケーブルコネクタ１４４ａはライトガイド口金１５０に嵌合して接続可能であり、その外周側に固定リング１６１が回転自在に設けられており、その内周面に形成された雌ネジ部１６１ａはライトガイド口金１５０の雄ネジ部１５１に螺合するようになっている。
【０１０６】
また、このライトガイドケーブル１４４の他方の端部に設けたライトガイドコネクタ１４４ｂは、外部光源装置（例えば図３の外部光源装置６）に接続することができ、その内部のライトガイドファイバを介して導光された照明光をライトガイド口金１５０に固定したライトガイド（例えば図３のライトガイド２４）に導光できるようにしている。
【０１０７】
ここで、このライトガイドコネクタ１４４ｂには、第１の実施の形態で説明した（及び図９でも示す）ライトガイドコネクタ４ｂとは電気接点４３，４４を設けていな点で異なり、従って外部光源装置とは電気的な接続は行われない。
その他は第１の実施の形態に同様である。
【０１０８】
次に本実施の形態の作用を説明する。
本実施の形態の内視鏡１４１を用いて内視鏡検査を行う場合、以下の３通りの使い方が出来る。
【０１０９】
携帯性を必要とする用途においては、バッテリ型光源本体１４５に照明ランプユニット３を接続した状態で内視鏡本体１４２にバッテリ型光源本体１４５を接続する（以降の作用の詳細は第１の実施の形態と同じとなる）。
【０１１０】
上記の形態でバッテリ型光源本体１４５を使用し、２次電池１５５からの電力供給が停止した場合は、照明ランプユニット３をバッテリ型光源本体１４５から取り外し、ライトガイドケーブル４を接続する。そして、商用電源を起電力とする外部光源装置６にライトガイドコネクタ４ｂを接続する（以降の作用の詳細は第１の実施の形態と同じとなる）。
【０１１１】
予め観察時間が長時間にわたる場合（２次電池１５５の容量低下を気にしないで、従来の内視鏡装置と同じ様に使用する場合）、外部光源装置６との電気接点を持たないライトガイドケーブル１４４を内視鏡本体１４２に接続する。
そして、商用電源を起電力とする既存の外部光源装置にライトガイドコネクタ１４４ｂを接続する。
【０１１２】
外部光源装置からの照明光はライトガイドケーブル１４４内のライトガイドファイバを経由して、ライトガイド口金１５０のライトガイドに導かれ、患部を照明し、内視鏡検査を行うことができる。
【０１１３】
本実施の形態は以下の効果を有する。
第１の実施の形態の効果に加え、２次電池、照明ランプ、およびそれらをつなぐ電気配線、電気接点等が１つのユニットとして内視鏡本体から取り外すことができるため、内視鏡本体の大きさ・重量をコンパクトにすることが可能となり、携帯用途で用いない場合（ライトガイドケーブル１４４を用いる場合）の内視鏡本体の操作性を向上できる。
【０１１４】
なお、第４の実施の形態ではライトガイドケーブル１４４は既存の外部光源装置に、ライトガイドケーブル４は図３等に示す外部光源装置６に接続するとして説明したが、図１０に示す変形例の外部光源装置１４６を使用し、ライトガイドケーブル４或いは１４４のいずれでも使用できるようにしても良い。
【０１１５】
この外部光源装置１４６は商用電源に接続される電源コードが接続されるインレット１７１は電源スイッチ１７２を介して電源部１７３と接続され、この電源部１７３には商用電源が供給される。
なお、電源部１７３は絶縁トランス１７９を有し、この絶縁トランス１７９により入力される商用電源と絶縁した交流電圧を２次側で生成し、この２次側に整流回路、電圧安定化回路等を設けている。
【０１１６】
この電源部１７３には制御動作を行う例えばＣＰＵ１７４が設けてある。この電源部１７３のランプ用電源出力端は、ランプ４０と接続されている。また、この電源部１７３の充電器用電源出力端には電源線１７６ａ，１７６ｂを介して充電器１７７の電源入力端に接続されている。
また、例えば一方の電源線１７６ａの途中にはスイッチＳＷ１が設けてあり、ＣＰＵ１７４によってその開閉が制御される。
【０１１７】
一方、ライトガイドコネクタ４ｂ或いは１４４ｂが接続されるライトガイドコネクタ受け部には例えば４つの接点部材が設けてあり各接点部材に接続された端子Ｔａ，Ｔｂ，Ｔｃ，ＴｄはＣＰＵ１７４と接続され、また例えば接点Ｔａは充電器１７７のプラス端子と接続され、端子ＴｄはスイッチＳＷ２を介してマイナス端子とに接続されている。
【０１１８】
ＣＰＵ１７４は端子Ｔａ，Ｔｂ，Ｔｃ，Ｔｄの導通状態を検出してスイッチＳＷ１、ＳＷ２の開閉制御を行う。
具体的には端子ＴａとＴｂとの導通／非導通状態を検出することにより、この光源装置１４６にライトガイドコネクタ４ｂ或いは１４４ｂが接続されたか否かを判断（検出）する。
【０１１９】
また、端子ＴｃとＴｄとの導通／非導通状態を検出することにより接続されたライトガイドコネクタが絶縁ブロック４２が設けられたライトガイドコネクタ４ｂかこの絶縁ブロック４２が設けられていないライトガイドコネクタ１４４ｂかを判断（検出）する。
【０１２０】
そして、端子ＴａとＴｂとの導通状態を検出し、かつ端子ＴｃとＴｄとの非導通状態を検出した場合にのみスイッチＳＷ１とＳＷ２とをＯＮするようにしている。
これに対し、ライトガイドコネクタ１４４ｂが接続された場合には、スイッチＳＷ１をＯＦＦ（遮断）にし、充電器１７７に電源を供給しないようにする。
【０１２１】
この変形例によれば、ライトガイドコネクタ４ｂ及びライトガイドコネクタ１４４ｂのいずれが接続される場合にも使用できる。
（第５の実施の形態）
本第５の実施の形態は、充電器を用いてバッテリ光源内部に設けたバッテリを充電する際に、充電電流が誤ってランプや残量表示回路に流れることの無い内視鏡を提供することを目的とする。
【０１２２】
図１１ないし図２０は本発明の第５の実施の形態の形態に係り、図１１は本発明の第５の実施の形態を備えた内視鏡を示す外観図、図１２は操作部とバッテリ式光源を接続するときの位置関係を示す外観図、図１３はバッテリ式光源の概略構成を示す斜視図、図１４はバッテリ式光源を示す縦断面図、図１５は図１４に対する縦断面図、図１６は図１４中のＤ−Ｄ線に沿う断面図、図１７はバッテリ式光源の収納筒と胴部との詳細を説明するための分解斜視図、図１８は図１４中のＡ−Ａ線に沿う断面図、図１９はランプ消灯時における充電接点片及び負極接点片周辺の断面図であり、図１９（ａ）は図１４中のＣ−Ｃ線に沿う断面図、図１９（ｂ）は図１４中のＢ−Ｂ線に沿う断面図、図２０はランプ点灯時における充電接点片及び負極接点片周辺の断面図であり、図２０（ａ）は図１４中のＣ−Ｃ線に沿う断面図、図２０（ｂ）は図１４中のＢ−Ｂ線に沿う断面図である。
【０１２３】
図１１に示すように、本第５の実施の形態の形態を備えた内視鏡２００は、内視鏡本体２０１と、この内視鏡本体２０１に着脱自在で接続されるランプ及びこのランプに電力を供給するバッテリを配設したバッテリ式光源２０２とから構成されている。
【０１２４】
前記内視鏡本体２０１は、細長の挿入部２０３と、この挿入部２０３の後端に形成された操作部２０４と、この操作部２０４の後端に設けられた接眼部２０５とからなる。
【０１２５】
前記挿入部２０３は、先端側から硬質の先端構成部２１１と、この先端構成部２１１の後端に隣接して形成され、湾曲自在な湾曲部２１２と、この湾曲部２１２の後端に隣接して形成され、可撓性を有する可撓管部２１３とから構成され、前記操作部２０４に配設された図示しない湾曲ノブを回動操作し、前記湾曲部２１２を所望の方向に湾曲できるように構成されている。
【０１２６】
前記操作部２０４には、吸引を行う吸引ボタン２１４と、この吸引ボタン２１４の基端付近から突出するように吸引口金２１５とが設けてあり、吸引口金２１５は図示しないチューブを介して吸引機に接続され、吸引ボタン２１４を操作することにより図示しない吸引チャンネルに連通する吸引口金２１５を介して体液などを吸引することができる。更に、操作部２０４の前端側に鉗子などの処置具を挿入する図示しない鉗子挿入口が形成され、内部で前記吸引チャンネルに連通している。
【０１２７】
また、前記挿入部２０３内には、内視鏡像を伝送するイメージガイドファイバ（不図示）が挿通されている。このイメージガイドファイバの先端部分は、対物レンズ（不図示）と共に前記先端構成部２１１に固定される。このイメージガイドファイバの後端部分は前記接眼部２０５に内蔵される接眼レンズの結像位置に固定され、この接眼レンズより内視鏡像を観察できるようになっている。
【０１２８】
前記先端構成部２１１には、照明光を伝送する図示しないライトガイドファイバが固着されており、このライトガイドファイバの他端は前記操作部２０４に設けられた後述のライトガイド口金に固着されている。照明光は、前記バッテリ式光源２０２からライトガイドファイバを経て前記先端構成部２１１の図示しない照明窓より出射される。
【０１２９】
図１２に示すように操作部２０４の側面には、前記バッテリ式光源２０２が接続部２２０を介して着脱自在に接続されるようになっていて、この接続部２２０の位置決めピン２２１と係合するピン受け部２０４ａと、接続部本体２２２に設けられた照明出射口２２３と係合するライトガイド口金２０４ｂと、取付けネジ２２４と螺合する雄ネジ部２０４ｃが配設されている。前記取付けネジ２２４を雄ネジ部２０４ｃに螺合することにより、前記バッテリ式光源２０２は内視鏡本体２０１に着脱自在に取り付けられるようになっている。
【０１３０】
前記バッテリ式光源２０２は、操作部２０４に接続される前記接続部２２０を備え、ランプ２１０を保持するランプホルダ２３０ａ及びこのランプホルダ２３０ａを収納するランプホルダ収納部２３０ｂからなるランプ収納部２３０と、後述のバッテリを収納するバッテリ収納部２４０と、残量表示部２５０とから構成されている。
【０１３１】
前記接続部２２０は、操作部２０４に取り付けるための機構であり、前記接続部本体２２２に回動自在に配設された取付けネジ２２４と、前記接続部本体２２２の外周面の特定位置に配設された指標２２５と、前記位置決めピン２２１とから構成されている。
【０１３２】
次に、図１３ないし図１８を参照してバッテリ式光源の詳細構成を説明する。
図１３に示すように前記バッテリ収納部２４０は、バッテリ収納部外装部材２４１と、このバッテリ収納部外装部材２４１の内周に導電性素材により形成され、乾電池等のバッテリ２３１を収納する収納筒２４２と、このバッテリ収納部外装部材２４１の一端に被着されるバッテリキャップ２４３とから構成されている。
このバッテリ収納部外装部材２４１の内周には、前記収納筒２４２が嵌挿されていて、この収納筒２４２上側の外周には、水密リング２４４が配設されている。
【０１３３】
前記バッテリキャップ２４３は、図１４に示すように前記バッテリ２３１を負極接点片２４５側へ付勢する導電性素材から成る円錐バネ２４６と導電性素材から成る接点部材２４７を一体的に固定し、前記収納筒２４２上部に配設されたネジ部２４８に着脱自在に螺合されるようになっている。尚、前記円錐バネ２４６によって付勢され、バッテリ２３１の負極２３１ｎは、導電性の板状バネ材で形成した前記負極接点片２４５に接触している。このとき、負極接点片２４５は、負極２３１ｎ表面の中心部から外周方向にずれた位置で接触する。
【０１３４】
前記残量表示部２５０は、前記バッテリ収納部２４０の側面に配設される（図１３参照）。この残量表示部２５０は、基板２５１の表面に１つまたは複数の発光ダイオード等の発光体より形成された比較的厚みの薄い残量表示発光体２５２を配置している。その裏面には、図１５に示すように比較的厚みのある素子で構成された回路部２５３を配置すると共に、これらを外装するバッテリ収納部外装部材２４１に、前記残量表示発光体２５２の外側の位置に配置した透明部材より形成された透過部材２５４より構成されている。また、前記基板２５１は、絶縁体２５５により収納筒２４２側面に支持される。
上記のように、前記回路部２５３を、基板２５１を支える絶縁体２５５の厚みと収納筒２４２の側面を切り欠くことによりできた空間に位置させることでスペースを有効利用している。
【０１３５】
また、収納筒２４２に固定された前記絶縁体２５５は、図１６に示すようにその側面に平面部２５５ａを設け、バッテリ収納部外装部材２４１内部に形成された平面部２４１ａに当接させ、収納筒２４２を前記ランプホルダ収納部２３０ｂの外装部材２４９及び前記バッテリ収納部外装部材２４１に組付ける際の位置決めと、バッテリキャップ２４３を締め付ける際の回転トルクに対する耐強度を保つようにしている。
【０１３６】
導電性の板状バネ材で形成した負極接続片２５６は、ビス２５７で絶縁体２５５に固定され、図１４及び図１５に示すランプ点灯状態においては、前記基板２５１上の負極導電部２５８と前記ランプホルダ２３０ａに設けられた負極接点部材２６１を電気的に接続し、一方、導電性の板状バネ材で形成した正極接続片２６２は、導電性素材より形成された導電ビス２６３で絶縁体２５５を介して収納筒２４２にネジ止めされ、前記基板２５１上の正極接点部材２６４と前記収納筒２４２を電気的に接続している。尚、前記正・負極接点２５６，２６２はバネ付勢により前記正・負極導電部２５８、２６４と電気的接触を行っている。
【０１３７】
前記負極接続片２５６の並びには、前記負極接点片２４５が配置され、図１４及び図１５に示すランプ点灯状態においては、バッテリ２３１の負極２３１ｎと負極接点部材２６１を電気的に接続する。
更に、前記負極接点片２４５の隣には充電接点片２６５が配置され、絶縁体２５５に固定されている。この充電接点片２６５の一端は、基板２５１に設けた充電回路、あるいは外部充電器側に充電制御回路がある場合はバッテリ収納部外装部材２４１表面に設けた図示しない充電用接点に直接配設される。また、前記充電接点片２６５の他端は、図１４及び図１５に示すランプ点灯状態においては、充電接点部２６６とは切り離され、回路的には開放状態である。
前記収納筒２４２の筒底部側には、バッテリ２３１からの電流経路となる接点バネ２６７がピンでカシメ固定されている。
【０１３８】
上述した各接点構成部、残量表示部は、図１７に示すように収納筒２４２に一体的に組付けられた後、バッテリ収納部外装部２４１内に挿入するようにして組付けられる。
前記残量表示発光体２５２は、電池電圧の変化に伴い発光体の輝度の明暗や色を変化させて表示したり、電池電圧の高低により点消灯して表示しても良い。また、前記バッテリ収納部外装部材２４１外表面に、前記透過部材２５４に合わせてレベルメーター等の図表２６８を配設しても良い。
【０１３９】
前記ランプ収納部２３０は、前記したようにランプホルダ２３０ａと、ランプホルダ収納部２３０ｂとからなる。
前記ランプホルダ２３０ａは、前記ランプ２１０と、このランプ２１０が螺合する負極接点部材２６１と、前記負極接点部材２６１と正極接点部材２７１及びこの正極接点部材２７１を付勢する導電性の接点バネ２７２及び導電性のバネ受け部２７３を一体的に係合固定した絶縁部材２７４と、前記バネ受け部２７３に対して抜け止めピン２７５を介して回動自在なランプホルダ装着ネジ部２７６に取り付けられる熱伝導性の低い樹脂などで形成したホルダ外装部材２７７より構成されている。尚、符号２７６ａは、ランプホルダ装着ネジ部２７６と後述する回転規制リング２８５との水密を保持する水密リングである。
【０１４０】
また、前記ランプホルダ２３０ａは、図１４に示したようにランプホルダ収納部２３０ｂの胴部２７８の後端側に着脱自在に螺合されるようになっている。
ランプホルダ収納部２３０ｂは、胴部２７８と、その外側に設けられた絶縁体２９２とから構成されている。この胴部２７８の前端側には、図１４に示すように、ライトガイド口金２０４ｂが係入する口金接続部２８１が設けられている。
前記ランプホルダ２３０ａが胴部２７８に螺合された図１４の状態では、バネ受け部２７３が胴部２７８内周に形成した段付き部に当接し、負極接点部材２６１が負極接続片２５６及び負極接点片２４５のみが当接する深さまでしか係入できないようになっている。尚、この時のバネ受け部２７３と胴部２７８は電気的導通状態にある。
【０１４１】
この胴部２７８は、図１７に示すように、細長で複数の段部を有する導電性部材で略パイプ状に成形されている。この胴部２７８には、基端面から基端側太径部２８２を通って中央胴部２８３まで軸方向に伸びる切り欠き部２８４が形成されている。
この切り欠き部２８４の幅は、前記負極接点部材２６１よりも広く形成されており、前述のようにランプホルダ２３０ａを装着する際に負極接点部材２６１が係入するようになっている。
この胴部２７８の基端側太径部２８２内周面には、前記ランプホルダ装着ネジ部２７６外周に形成された雄ねじ部が螺合する図示しない雌ねじ部が形成されている。
【０１４２】
一方、前記基端側太径部２８２の外周面には、図１８に示すように回転規制リング２８５がネジ２８６によって固定されている。この回転規制リング２８５は外装部材２４９内に配置され、この回転規制リング２８５の外周面に設ける水密リング２８７によって、前記回転規制リング２８５と外装部材２４９との水密が保持されるようになっている（図１４参照）。
前記胴部２７８は、接続部本体２２２の一端面及び回転規制リング２８５の一端面で外装部材２４９の内周面側に設けられている突き当て面２８７ａ、２８７ｂを挟持する位置関係で外装部材２４９の内部に配設されている。これにより外装部材２４９は、胴部２７８に対して回動自在である。
【０１４３】
前記回転規制リング２８５は略Ｃ字形状をしており、この回転規制リング２８５が配置される外装部材２４９の内周面には図１８に示すように、前記回転規制リング２８５の切り欠き部分が当接する凸状の回転規制部２８８が配設されている。本実施の形態では回転角度が略９０度になるように設定してあるが、前記規制リング２８５の切り欠き部の大きさを変化させることにより、任意の回転角度とすることも可能である。
【０１４４】
また、前記胴部２７８の中央胴部２８３には、図１７に示すように、前記切り欠き部２８４の先端側を形成する拡大開口部２９１が形成されている。この拡大開口部２９１を含む外周面には、絶縁体２９２が設けられている（図１５参照）。この絶縁体２９２には、図１９に示すように、前記切り欠き部２８４の幅同幅に切り欠き部が形成されており、絶縁体２９２に配設した凸部２９２ａが拡大開口部２９１に係合し固定されている。
【０１４５】
更に、絶縁体２９２の外周面における、前記切り欠き部２８４に対し略９０度の位置には、導電部材からなる前記充電接点部２６６が固定されている。この充電接点部２６６は、後述のランプ消灯操作を行った際（図１４のランプ点灯状態からバッテリ式光源２０２を略９０度回動させてランプ２１０を消灯した際）に負極接点片２４５と充電接点片２６５に電気的接触が行われるような位置に配置されている。
尚、前記口金接続部２８１は、前記胴部２７８に水密リング２９３により水密的に固定されており、開口部底部には集光レンズ２９４が水密的に接着固定されている。また、口金接続部２８１外周には水密リング２９５が配設されている。
【０１４６】
バッテリ２３１が収納される収納筒２４２の底部端からは、接点バネ２６７が突出して配設されている。この接点バネ２６７は、図１７に示すように前記外装部材２４９に対して回動自在に配置されている胴部２７８の細径胴部２９６を挟持し、電気的導通状態を保つ。この細径胴部２９６の断面形状は、一対の平面部を形成した略円柱形状である。
【０１４７】
次に、上述のように構成したバッテリ式光源の作用を図１１ないし図１８を基に図１９及び図２０を参照して説明する。
バッテリ式光源２０２のバッテリ収納部２４０の収納筒２４２にバッテリ２３１を収容した後に、バッテリキャップ２４３をバッテリ収納部２４０に被せ、収納筒２４２のネジ部２４８にバッテリキャップ２４３を螺合して、バッテリキャップ２４３を一体化する。このとき、収納筒２４２の上部に設けた水密リング２４４がバッテリキャップ２４３の内周面に密着して水密状態になる。
【０１４８】
次に、ランプホルダ２３０ａの負極接点部材２６１を切り欠き部２８４に挿通させて、ランプホルダ装着ネジ部２７６を図示しないコイン等を用いて回転させる。すると、ランプホルダ２３０ａはランプホルダ収納部２３０ｂに収容された状態で一体的に構成されることになる。
【０１４９】
ついで、バッテリ式光源２０２を操作部２０４に取り付ける操作について説明する。図１２に示すように、バッテリ式光源２０２に配設された位置決めピン２２１と、内視鏡本体２０１の操作部２０４に配設されたピン受け部２０４ａを係合させて接続し、雄ネジ部２０４ｃに取り付けネジ２２４を螺合する。
【０１５０】
次に、バッテリ式光源２０２と内視鏡操作部２０４とが、図１９に示すような位置関係にあるとする。
図１９の状態では、同図（ｂ）に示すように負極接点部材２６１が負極接続片２５６、負極接点片２４５から切り離された状態であり、バッテリ２３１からランプ２１０への電源供給回路が絶たれているランプ消灯状態である。
【０１５１】
このとき、同図（ａ）に示す充電接点片２６５と同図（ｂ）に示す負極接点片２４５が充電接点部２６６を介して電気的導通状態となり、図示しない外部からの充電電流が前記充電接点片２６５、負極接点片２４５を経由してバッテリ２３１に流れる充電回路が構成される。尚、バッテリ２３１正極への導通路はバッテリ収納部外装部材２４１表面に設けた図示しない充電用接点に直に配線されるか、あるいは基板２５１に設けた充電回路を挟んで前記バッテリ収納部外装部材２４１表面の充電用接点に配線される。
【０１５２】
続いて、図１９の状態からバッテリ式光源２０２を内視鏡操作部２０４に対し回動させる。すると、胴部２７８を軸としてバッテリ収納部２４０が動き、図２０の位置まで移動すると、同図（ａ）に示す充電接点片２６５と同図（ｂ）に示す負極接点片２４５とは充電接点片部２６６とは切り離され、充電回路が絶たれると共に、同図（ｂ）に示すように負極接点片２４５及び負極接続片２５６が負極接点部材２６１に接触して、電気的に導通状態となる（図１４の状態）。すると、ランプ２１０及び基板２５１にバッテリ２３１から電力が同時に供給され、ランプ２１０が点灯し、残量表示部２５０が表示状態となる。
このとき、残量表示部２５０の回路部２５３は、ランプ２１０の点灯状態においてバッテリ２３１の残容量を検出し、その検出結果を残量表示発光体２５２に送る。これにより、残量表示発光体２５２が表示データに基づいて点灯し、バッテリ２３１の残容量を知ることができる。
【０１５３】
尚、このときに構成される導電路は、ランプ２１０について言えば、バッテリ正極→円錐バネ２４６→接点部材２４７→収納筒２４２→接点バネ２６７→胴部２７８→バネ受け部２７３→接点バネ２７２→正極接点部材２７１→ランプ２１０→負極接点部材２６１→負極接点片２４５→バッテリ負極となる。また、基板２５１について言えば、バッテリ正極→円錐バネ２４６→接点部材２４７→収納筒２４２→導電ビス２６３→正極接続片２６２→基板２５１→負極接点片２５６→負極接点部材２６１→負極接点片２４５→バッテリ負極となる。
【０１５４】
上記ランプ点灯時における電池残量表示は、回路部２５３に例えばＡ／Ｄコンバータを用い、数値化したバッテリ残量の情報を１つまたは複数の残量表示発光体２５２によって表示してもよい。また、前記残量表示発光体２５２の代わりに、図示しない液晶パネルで残量表示部２５０を形成しても良い。
【０１５５】
尚、内視鏡の使用後は、ランプ２１０を消灯するため、オン状態にしたときの操作とは逆の操作を行えばよい。続いて、図示しない充電器にバッテリ式光源２０２を装着し、バッテリ２３１の充電操作を行う。
【０１５６】
上述した本第５の実施の形態によれば以下の効果を得る。
（１）バッテリ式光源２０２を操作部２０４に接続しランプ２１０を点灯させると、残量表示部２５０にバッテリ２３１の残量が表示される。使用者に対して、バッテリ２３１の使用可能な時間を知らしめることができる。
（２）ランプ２１０及びバッテリ残量表示回路への電源供給回路が開放状態の時のみ、バッテリ２３１を充電する回路が構成されるため、充電電流が誤ってランプ２１０や残量表示回路側に流れることが無いので、ランプ２１０及び残量表示回路の故障を防止できる。
（３）負極接点部材２６１は、如何なる状態においても充電接点片２６５と電気的接触をすることがない。即ち、胴部２７８に対してランプ収納部２３０が不十分な装着状態であっても、充電回路がランプ２１０及び残量表示回路につながることが無い。従って、使用者の取り扱いミスによるランプ２１０及び残量表示回路の故障（充電電流が流れ込むことによる）を更に防止することができる。
（４）バッテリ式光源２０２を回動させてスイッチ操作をするため、ＯＮ、ＯＦＦの状態が内視鏡装置外観から一見して分かる。
【０１５７】
（第６の実施の形態）
図２１ないし図２３は本発明の第６の実施の形態の形態に係り、図２１は本発明の第６の実施の形態を備えたバッテリ式光源の各接点部材及び絶縁体付近を示す説明図、図２２はランプ点灯時における図２１中のＥ−Ｅ線に沿う断面図、図２３はランプ消灯時における図２１中のＥ−Ｅ線に沿う断面図である。
【０１５８】
上記第５の実施の形態では、ランプ２１０及びバッテリ残量表示回路への電源供給回路が開放状態の時のみ、バッテリ２３１を充電する回路が構成されるようにしているが、本第６の実施の形態では、ランプ点灯回路が構成されているときに、ランプ２１０を交換した際のランプホルダ２３０ａの取り付け不十分による誤表示を防止可能な構成とし、第５の実施の形態における各接点部材（充電接点片２６５、負極接点片２４５、負極接続片２５６）を収納・配置する絶縁体２５５端部の形状が異なるところのみ、第５の実施の形態とは異なる。それ以外の構成は、第５の実施の形態と同様な構成なので説明を省略し、同じ構成には同じ符号を付して説明する。
【０１５９】
即ち、図２１に示すように本第６の実施の形態のバッテリ式光源３００は、絶縁体２５５の端部に設けたベース部材３０１に負極接点片２５６に隣接してストッパ部３０２が形成されている。前記ストッパ部３０２は、図２２に示すようにランプホルダ２３０ａを胴部２７８に装着した時、負極接点部材２６１の一側面が当接する高さとなっている。
【０１６０】
このように構成されているバッテリ式光源３００において、ランプ２１０を交換する際、図２３に示すようにランプ消灯状態にした後、ランプホルダ２３０ａを胴部２７８から取り外す。この時、ストッパ部３０２は負極接点部材２６１に対して略９０度ずれた位置にあり、負極接点部材２６１は切り欠き部２８４を通過することができる。
【０１６１】
続いて、新しいランプに交換したランプホルダ２３０ａを胴部２７８に螺合し、胴部２７８の内周段差部にバネ受け部２７３が当接するまでねじ込む。この完全な取付け状態においては、ランプ２１０に電源を供給する回路が構成されると共に、水密リング２７６ａによる密閉が完全なものとなる。また、負極接点部材２６１は、ストッパ部３０２を越えた位置にくる。
ランプ２１０を点灯させる際には、バッテリ収納部２４０を胴部２７８に対し回動させ、図２２に示す状態にする。
【０１６２】
この結果、ランプホルダ２３０ａが正しく装着されている場合は、負極接点部材２６１がストッパ部３０２にぶつかること無く、ランプ及び残量表示回路のスイッチを入切することができる。また、このスイッチＯＮ状態においてランプホルダ２３０ａを取り外そうとしても、負極接点部材２６１がストッパ部３０２にぶつかり、外すことはできない。更に、ランプホルダ２３０ａが不完全な取付け状態であると、負極接点部材２６１がストッパ部３０２にぶつかりスイッチが入らない。
【０１６３】
上記上述した本第６の実施の形態によれば第５の実施の形態の効果に加え、以下の効果を得る。
スイッチをＯＦＦ位置にしないと、ランプ交換が出来ない構成にしたことにより、スイッチ位置をＯＮにしたまま、フィラメント切れのランプを新品ランプと交換し、そのままランプを付けっぱなしにしてしまうことを防止できる。また、ランプホルダ２３０ａが正しく装着されないとスイッチが入らない構成にしたため、ランプホルダ２３０ａの取付け不十分により起こる不具合、例えばスイッチ接点部の接触不良や使用後の洗滌行程において装着部からの液体の浸入による故障を防止することができる。
なお上述した各実施の形態等を部分的等で組み合わせて構成される実施の形態も本発明に属する。
【０１６４】
［付記］
１．内視鏡本体に設けた導光手段に照明光を供給する光源と、前記光源を点灯させる充電可能な２次電池と、外部の光源装置からの照明光を前記導光手段に伝送する導光ケーブルとを有する内視鏡において、
前記導光ケーブルにより内視鏡と光源装置とを接続した場合、前記２次電池を充電する電気回路が形成されるようにしたことを特徴とする内視鏡。
【０１６５】
２．内視鏡本体に設けた導光手段に照明光を供給する光源と前記光源を点灯させる充電可能な２次電池とを有する内視鏡と、該内視鏡の外部に設けられ、発光した照明光を導光ケーブルで伝送して前記導光手段に供給する光源装置とを有する内視鏡装置において、
前記導光ケーブルにより内視鏡と光源装置とを接続した場合、前記２次電池を充電する充電回路が形成されるようにしたことを特徴とする内視鏡装置。
【０１６６】
３．付記２において、前記導光ケーブルは、前記光源装置からの照明光を前記内視鏡本体に供給するライトガイドと、このライトガイドに沿って配され、前記光源装置の電源と接続する導線とを具備することを特徴とする内視鏡。
４．付記２において、前記導光ケーブルにより内視鏡と光源装置とを接続した場合、光源装置内の照明ランプが点灯している時は、前記２次電池を充電する充電回路が構成されないようにした内視鏡装置。
【０１６７】
５．付記２において、前記充電回路が構成された時のみ前記光源装置が点灯するようにした内規鏡装置。
６．付記２において、前記光源及び前記２次電池は前記内視鏡本体に着脱自在で接続されるユニットに設けらた内視鏡装置。
７．付記２において、前記内視鏡本体には該内視鏡本体の導光手段に前記光源装置からの照明光を伝送するライトガイドのみが挿通された第２の導光ケーブルが着脱自在で接続可能である内視鏡装置。
【０１６８】
８．付記６において、前記ユニットは前記光源と前記導光ケーブルとが選択的に着脱自在である内視鏡装置。
９．付記７において、前記光源装置は前記導光ケーブル及び第２の導光ケーブルの接続を識別し、前記導光ケーブルが接続された場合には前記２次電池を充電する充電着回路を形成し、前記第２の導光ケーブルが接続された場合には充電回路を構成しない内視鏡装置。
【０１６９】
１０．付記２において、前記導光ケーブルにより内視鏡と光源装置とを接続した場合、前記２次電池を充電する充電回路は２次電池が充電完了状態かをモニタし、充電完了状態と判断した場合には充電動作を停止する内視鏡装置。
１１．付記１０において、前記充電完了状態と判断した場合には充電動作を停止すると共に、充電完了の表示を行う内視鏡装置。
【０１７０】
１２．内視鏡本体に設けた導光手段に照明光を供給する光源と、前記光源を点灯させる充電可能な２次電池とを有する内視鏡において、
前記２次電池からの電力を前記光源へ供給する電源供給回路が開放状態のときのみ、前記２次電池を充電する充電回路が形成されるようにしたことを特徴とする内視鏡。
【０１７１】
１３．付記１２の内視鏡において、前記２次電池の残容量を表示する残量表示手段を備えると共に、前記光源及び前記残量表示手段に電力を供給する電源供給回路が開放状態のときのみ、前記２次電池を充電する充電回路が形成されるようにしたことを特徴とする内視鏡。
【０１７２】
１４．付記１３の内視鏡において、前記光源を光源本体に着脱自在に装着する際に、前記残量表示手段への残量表示スイッチ部と、前記光源への電源スイッチ部及び前記充電回路を構成するための充電スイッチ部をこの順番に配列すると共に、前記残量表示スイッチ部、前記電源スイッチ部を入切する導電部材が前記充電スイッチ部に触れないように構成したことを特徴とする内視鏡。
【０１７３】
１５．内視鏡本体に設けた導光手段に照明光を供給する光源と、前記光源を点灯させる充電可能な２次電池とを有する内視鏡装置において、
前記２次電池からの電力を前記光源へ供給する電源供給回路が開放状態のときのみ、前記２次電池を充電する充電回路が形成されるようにしたことを特徴とする内視鏡装置。
【０１７４】
１６．付記１５の内視鏡装置において、前記２次電池の残容量を表示する残量表示手段を備えると共に、前記光源及び前記残量表示手段に電力を供給する電源供給回路が開放状態のときのみ、前記２次電池を充電する充電回路が形成されるようにしたことを特徴とする内視鏡装置。
【０１７５】
１７．付記１６の内視鏡装置において、前記光源を光源本体に着脱自在に装着する際に、前記残量表示手段への残量表示スイッチ部と、前記光源への電源スイッチ部及び前記充電回路を構成するための充電スイッチ部をこの順番に配列すると共に、前記残量表示スイッチ部、前記電源スイッチ部を入切する導電部材が前記充電スイッチ部に触れないように構成したことを特徴とする内視鏡装置。
【０１７６】
［付記１２〜１７に対する従来技術］
従来、乾電池あるいは充電池等を用いたバッテリ式光源を内視鏡操作部に着脱自在に取り付けられるようにした内視鏡は、例えば特開平１０−４３１３３号公報に記載されているように、専用の充電器にバッテリ光源部を装着して充電操作を行うようにして、内視鏡を使用しないときに容易に充電作業が行えるようにしたものが提案されている。このように、内視鏡操作部に着脱自在に取り付けられるバッテリ式光源は、充電操作を行うことで繰り返し使用することが可能である。
【０１７７】
［付記１２〜１７に対する課題］
しかしながら、上記特開平１０−４３１３３号公報に記載の内視鏡は、バッテリからランプへ電力を供給する電源供給回路の開閉と、前記バッテリを充電する充電回路の開閉が必ずしも連動しておらず、誤ってランプを点灯（即ち、充電池に電気的接続）したまま充電器操作を行うと、充電器からの充電電流がランプ側にも流れランプ切れ等を引き起こす虞れがあった。
また、前記バッテリの残容量を検出するための残量表示回路を、前記ランプと並列に回路接続したバッテリ式光源においても上記現象によりランプ及び残量表示回路に不具合を生じる虞れがあった。
【０１７８】
［付記１２〜１７に対する目的］
充電器を用いてバッテリ光源内部に設けたバッテリを充電する際に、充電電流が誤ってランプや残量表示回路に流れることの無い内視鏡を提供することを目的とする。
【０１７９】
［付記１２〜１７に対する解決手段］
前記目的を達成するため付記１２に記載の発明は、内視鏡本体に設けた導光手段に照明光を供給する光源と、前記光源を点灯させる充電可能な２次電池とを有する内視鏡において、前記２次電池からの電力を前記光源へ供給する電源供給回路が開放状態のときのみ、前記２次電池を充電する充電回路が形成されるようにして、如何なる場合でも充電電流が照明ランプに流れないようにしている。
【０１８０】
【発明の効果】
以上説明したように本発明によれば、内視鏡本体に設けた導光手段に照明光を供給する光源と、前記光源を点灯させる充電可能な２次電池と、外部の光源装置からの照明光を前記導光手段に伝送する導光ケーブルとを有する内視鏡において、
前記導光ケーブルにより内視鏡と光源装置とを接続した場合、前記２次電池を充電する電気回路が形成されるようにしているので、光源を駆動する２次電池を自動的に充電できる。
【０１８１】
また、内視鏡本体に設けた導光手段に照明光を供給する光源と前記光源を点灯させる充電可能な２次電池とを有する内視鏡と、該内視鏡の外部に設けられ、発光した照明光を導光ケーブルで伝送して前記導光手段に供給する光源装置とを有する内視鏡装置において、
前記導光ケーブルにより内視鏡と光源装置とを接続した場合、前記２次電池を充電する充電回路が形成されるようにしているので、光源を駆動する２次電池を自動的に充電できる。
【図面の簡単な説明】
【図１】本発明の第１の実施の形態を備えた内視鏡装置の全体構成を示す図。
【図２】内視鏡本体の操作部に照明ランプユニットを装着した際の模式図。
【図３】ライトガイドケーブルを介して光源装置から内視鏡本体に照明光を供給した際の模式図。
【図４】本発明の第２の実施の形態を備えた内視鏡装置の全体構成を示す図。
【図５】内視鏡本体の操作部に照明ランプユニットを装着して点灯操作を行った時の内部構成等を示す図。
【図６】内視鏡本体の操作部に照明ランプユニットを装着して消灯操作を行った時の内部構成等を示す図。
【図７】内視鏡装置全体の電気系の概略の構成を示す図。
【図８】本発明の第３の実施の形態の内視鏡の全体構成を示す図。
【図９】本発明の第４の実施の形態の内視鏡の全体構成を示す図。
【図１０】第４の実施の形態の変形例における外部光源装置の概略の構成を示す図。
【図１１】本発明の第５の実施の形態を備えた内視鏡を示す外観図。
【図１２】操作部とバッテリ式光源を接続するときの位置関係を示す外観図。
【図１３】バッテリ式光源の概略構成を示す斜視図。
【図１４】バッテリ式光源を示す縦断面図。
【図１５】図１４に対する縦断面図。
【図１６】図１４中のＤ−Ｄ線に沿う断面図。
【図１７】バッテリ式光源の収納筒と胴部との詳細を説明するための分解斜視図。
【図１８】図１４中のＡ−Ａ線に沿う断面図。
【図１９】ランプ消灯時における充電接点片及び負極接点片周辺の断面図。
【図２０】ランプ点灯時における充電接点片及び負極接点片周辺の断面図。
【図２１】本発明の第６の実施の形態を備えたバッテリ式光源の各接点部材及び絶縁体付近を示す説明図。
【図２２】ランプ点灯時における図２１中のＥ−Ｅ線に沿う断面図。
【図２３】ランプ消灯時における図２１中のＥ−Ｅ線に沿う断面図。
【符号の説明】
１…内視鏡装置
２…内視鏡本体
３…照明ランプユニット
４…ライトガイドケーブル
５…内視鏡
６…外部光源装置
７…挿入部
８…操作部
９…接眼部
１０…接続ソケット
１１…先端部
２０…２次電池
２１…電源ユニット（電池ユニット）
２２…表示部
２４…ライトガイド
２５…集光レンズ
２６…コイルバネ
２７…スプリング
２８…接点ピン
２９…照明ランプ
３０…ランプホルダ部
３１…接点部
３７，３８…接点部
４０…ランプ
４１…ライトガイドファイバ
４２…絶縁ブロック
４３，４４…電気接点
４５，４６…リード線
４７…充電器
５１…電源部
【図１】
0003686295.tif 000002
【図２】
0003686295.tif 000003
【図３】
0003686295.tif 000004
【図４】
0003686295.tif 000005
【図５】
0003686295.tif 000006
【図６】
0003686295.tif 000007
【図７】
0003686295.tif 000008
【図８】
0003686295.tif 000009
【図９】
0003686295.tif 000010
【図１０】
0003686295.tif 000011
【図１１】
0003686295.tif 000012
【図１２】
0003686295.tif 000013
【図１３】
0003686295.tif 000014
【図１４】
0003686295.tif 000015
【図１５】
0003686295.tif 000016
【図１６】
0003686295.tif 000017
【図１７】
0003686295.tif 000018
【図１８】
0003686295.tif 000019
【図１９】
0003686295.tif 000020
【図２０】
0003686295.tif 000021
【図２１】
0003686295.tif 000022
【図２２】
0003686295.tif 000023
【図２３】
0003686295.tif 000024